(57)【要約】      （修正有）【課題】垂直梯子でありながら、各ステップに上り下りがし易い段差を付与することができ、その結果、例えば子供が誤って足を滑らせ、梯子から落下するというおそれが低減する２段ベッドを提供する。【解決手段】上段ベッド部１１と下段ベッド部１２との間に、左右一対の手摺に複数のステップを配した垂直梯子１３が固定された２段ベッド１０において、各手摺３９は、上方へ向かうほど握り部分が徐々にベッド内方へ傾斜したもので、上下に隣接する全てのステップは、上段側のステップＳ２より下段側のステップＳ１の方が前方へ突出するように構成した。これにより、垂直梯子でありながら、各ステップに上り下りがし易い段差を付与することができる。【選択図】図１
0003222226.tif 000002
【実用新案登録請求の範囲】
【請求項１】
上段ベッド部と下段ベッド部との間に、左右一対の手摺に複数のステップを配した垂直梯子が固定された２段ベッドにおいて、
前記各手摺は、上方へ向かうほど握り部分が徐々にベッド内方へ傾斜したのもので、
上下に隣接する全ての前記ステップは、上段側の該ステップより下段側の該ステップの方が前方へ突出していることを特徴とする２段ベッド。
【請求項２】
前記各手摺の握り部分の傾斜角度は、垂直線を基準として２°〜１０°であることを特徴とする請求項１に記載の２段ベッド。
【請求項３】
前記垂直梯子は、
前記上下に隣接する全てのステップが、前記上段側のステップより前記下段側のステップの前方へ突出する幅を３ｃｍ〜８ｃｍとし、
前記各手摺の下端の前後方向の長さが１５ｃｍ〜２０ｃｍで、
前記各手摺の上端の前後方向の長さが７ｃｍ〜１０ｃｍで、
前記各手摺の握り部分の傾斜角度が、垂直線を基準として３°〜５°としたものであることを特徴とする請求項１または請求項２に記載の２段ベッド。
【請求項４】
前記２段ベッドは木製で、
前記上段ベッド部および前記下段ベッド部は、左右一対の側枠材、ヘッド側枠材およびフット側枠材を矩形枠状に連結した支持枠と、床部材と、前記左右一対の側枠材の内面に各々複数の固定部材により固定されて、前記床部材を支持する左右一対の受け桟とをそれぞれ有し、
前記垂直梯子は、前記上段ベッド部の床部材が最上段に配される仮想ステップとなるように前記各ステップの高さを調整して、前記２段ベッドの左側面または右側面に固定され、
少なくとも前記上段ベッド部の垂直梯子側の側枠材に配された前記受け桟は、前記複数の固定部材を、前記受け桟の長さ方向へ上下互い違いに配する千鳥打ち法により、対応する側枠材に固定されたことを特徴とする請求項１〜請求項３のうち、何れか１項に記載の２段ベッド。
【請求項５】
前記下段ベッド部の支持枠は、下縁全体が床面に接していることを特徴とする請求項１〜請求項４のうち、何れか１項に記載の２段ベッド。
【考案の詳細な説明】
【技術分野】
【０００１】
この考案は、上段ベッド部と下段ベッド部とを備えた２段ベッドに関する。
【背景技術】
【０００２】
従前より、例えば子供部屋などのスペースを有効活用するため、上段ベッド部と下段ベッド部とを備えた２段ベッドが知られている。上段ベッド部への上り下りには、梯子が用いられる。この梯子には、上段ベッド部に着脱自在に立て掛けられる傾斜梯子や、ベッド本体に垂直に固定される垂直梯子がある。
【０００３】
【非特許文献１】［平成３１年３月２６日検索］、インターネット＜ＵＲＬ：  ｈｔｔｐｓ：／／ｗｗｗ．ａｍａｚｏｎ．ｃｏ．ｊｐ／アート物流−二段ベッド−ローシェン−ＡＲＴ−ナチュラル−スタイリッシュな二段ベッド・エコ塗装／ｄｐ／Ｂ０７３Ｐ７ＷＸ２５＞
【考案の開示】
【考案が解決しようとする課題】
【０００４】
しかしながら、前者の傾斜梯子の場合には、上段ベッド部に斜めに立て掛けるため、取り付けが不安定で、梯子が上段ベッド部からずれたり、外れるおそれがあった。
また、傾斜梯子は傾斜配置されることから、梯子の設置スペースが大きくなり、その分だけ部屋の利用スペースが狭まり、通行の邪魔にもなっていた。
また、後者の垂直梯子の場合には、左右一対の手摺の間に、奥行き（幅）が同一のステップが垂直に並んでいるため、足場を確保しにくく、子供が上り下りする際に、誤ってステップを踏み外すおそれもあった。
【０００５】
そこで、考案者は鋭意研究の結果、ベッドに垂直に固定される垂直梯子において、左右一対の手摺を、上方へ向かうほど握り部分が徐々にベッド内方へ傾斜したのものとし、全てのステップを、隣接する上段側のステップより下段側のステップの方が前方へ突出するように構成すれば、垂直梯子でありながら、ステップに上り易い段差を付けることができ、上述した課題はすべて解消されることを知見し、この考案を完成させた。
【０００６】
本考案は、このような問題点に鑑みてなされたもので、垂直梯子でありながら、各ステップに上り下りがし易い段差を付与することができ、その結果、例えば子供が誤って足を滑らせ、梯子から落下するというおそれが低減する２段ベッドを提供することを目的としている。
【課題を解決するための手段】
【０００７】
請求項１に記載の考案は、上段ベッド部と下段ベッド部との間に、左右一対の手摺に複数のステップを配した垂直梯子が固定された２段ベッドにおいて、前記各手摺は、上方へ向かうほど握り部分が徐々にベッド内方へ傾斜したのもので、上下に隣接する全ての前記ステップは、上段側の該ステップより下段側の該ステップの方が前方へ突出していることを特徴とする２段ベッドである。
【０００８】
ここでいう“２段ベッド”とは、上段ベッド部および下段ベッド部の各床部材の上面に、マットレス（布団を含む）が敷かれていない、いわゆる２段式のボトム（ベッド本体）をいうものとする。上段ベッド部と下段ベッド部とは、互いに分離可能なものでも、分離不能なものでもよい。
上段ベッド部および下段ベッド部のベッドサイズは任意である。例えば、シングルサイズ、セミダブルサイズ、ダブルサイズなどでもよい。
ベッドを主に構成する各支持枠、各床部材、各支脚および垂直梯子などの素材は任意である。例えば、各種の木（パイン、ブナ、カエデ、カバ、ヒノキなど）、各種の金属（鉄、ステンレス、アルミニウム合金など）、各種のプラスチック（ＦＲＰ樹脂（繊維強化プラスチック）、ＡＢＳ樹脂、ポリ塩化ビニル樹脂、ポリスチレン樹脂など）といったものを採用することができる。ただし、素材は木の方が、自然素材である木の温もりや手触り感によって、子供の感性を豊かにすることができる。
【０００９】
垂直梯子は、上段ベッド部および下段ベッド部に垂直に固定されている。そのため、斜めに立て掛ける傾斜梯子のように、設置状態が不安定で、上段ベッド部から外れたりするおそれがない。
ここでいう「手摺の握り部分が、上方へ向かうほど徐々にベッド内方へ傾斜する」とは、手摺の握り部分の位置が、手摺の下端から上端に向かって徐々にベッドの内方（ベッドの中央）へ傾斜していることを意味する。なお、これの見方を変えれば、手摺が下向き末広がり状のものであるとも言える。
手摺の握り部分の構造、形状などは限定されない。例えば、手摺の前縁部でもよいし、手摺の外面または内面に突設された手摺長さ方向に長尺な部材でもよい。
手摺の握り部分の垂直線を基準とした傾斜角度は任意である。例えば、２°〜２０°でもよい。
また、ここでいう「上下に隣接する全てのステップは、上段側のステップより下段側のステップの前縁の方が前方へ突出している」とは、全てのステップにおいて、ステップの幅（奥行）に関係なく、隣接する下段側のステップの前縁（前端）の方が、上段側のステップの前縁より前方に配されていることを意味する。したがって、最下段のステップが最も前方に突出（迫り出し）している。
【００１０】
ステップの枚数は２枚以上であれば任意である。例えば、３枚でも４枚でもよい。
上下に隣接するステップ間において、上段側のステップ（の前縁）を基準とした下段側のステップ（の前縁）の突出幅（図２中の長さｂ）は任意である。ただし、垂直梯子の上り下りのし易さと梯子の設置スペースとを考慮すれば、この突出幅は２ｃｍ〜１０ｃｍ、好ましくは３ｃｍ〜８ｃｍである。
垂直梯子の前後方向の最大長さ（手摺下端の奥行方向の長さ、図２中の長さｅ）は任意であるものの、全ステップへの階段状の段差付けと、垂直梯子の設置スペースとを考慮すれば１０〜５０ｃｍ、好ましくは１５ｃｍ〜３０ｃｍである。また、垂直梯子の前後方向の最小長さ（手摺上端の奥行方向の長さ、図２中の長さｄ）は任意であるものの、手摺の上端部の握り易さや強度を考慮すれば５ｃｍ〜１２ｃｍ、好ましくは７ｃｍ〜１０ｃｍである。
【００１１】
請求項２に記載の考案は、前記各手摺の握り部分の傾斜角度は、垂直線を基準として２°〜１０°であることを特徴とする請求項１に記載の２段ベッドである。
各手摺の前縁の傾斜角度が２°未満では、垂直梯子を上る際に、階段状のステップを利用することで上り易くなる前傾姿勢が取りにくい。また、１０°を超えれば、垂直梯子の設置スペースが大きくなるおそれがある。各手摺の好ましい傾斜角度は、垂直線を基準として３°〜５°である。
【００１２】
請求項３に記載の考案は、前記垂直梯子は、前記上下に隣接する全てのステップが、前記上段側のステップより前記下段側のステップの前方へ突出する幅を３ｃｍ〜８ｃｍとし、前記各手摺の下端の前後方向の長さが１５ｃｍ〜２０ｃｍで、前記各手摺の上端の前後方向の長さが７ｃｍ〜１０ｃｍで、前記各手摺の握り部分の傾斜角度が、垂直線を基準として３°〜５°としたものであることを特徴とする請求項１または請求項２に記載の２段ベッドである。
【００１３】
請求項４に記載の考案は、前記２段ベッドは木製で、前記上段ベッド部および前記下段ベッド部は、左右一対の側枠材、ヘッド側枠材およびフット側枠材を矩形枠状に連結した支持枠と、床部材と、前記左右一対の側枠材の内面に各々複数の固定部材により固定されて、前記床部材を支持する左右一対の受け桟とをそれぞれ有し、前記垂直梯子は、前記上段ベッド部の床部材が最上段に配される仮想ステップとなるように前記各ステップの高さを調整して、前記２段ベッドの左側面または右側面に固定され、少なくとも前記上段ベッド部の垂直梯子側の側枠材に配された前記受け桟は、前記複数の固定部材を、前記受け桟の長さ方向へ上下互い違いに配する千鳥打ち法により、対応する側枠材に固定されたことを特徴とする請求項１〜請求項３のうち、何れか１項に記載の２段ベッドである。
【００１４】
上段ベッド部を構成する左右一対の側枠材、ヘッド側枠材およびフット側枠材を有する支持枠と、床部材と、左右一対の受け桟とは、それぞれ木製である。
固定部材としては、例えば、釘やねじ（ビス）などを採用することができる。
ここでいう「上段ベッド部の床部材が最上段に配される仮想ステップとなるように各ステップの高さを調整する」とは、例えば、２段ベッドが設置される床面（フロア）から、上段ベッド部の床部材までの高さを略等分割（略均等となるように調整）し、垂直梯子のうち、これらの分割した高さ位置に、それぞれステップを配することで、あたかも（見かけ上の）最上段のステップ（仮想ステップ）が、上段ベッド部の床部材となるように垂直梯子を構成するこという。
要は、垂直方向へ延びた２本の角材からなる左右一対の手摺に、同一サイズのステップが垂直方向へ所定ピッチで並列配置された従来の垂直梯子の場合のように、上段ベッド部の床部材の高さ位置に、最上段のステップが配置されるのではなく、この床部材より下方の位置に、実際の最も上段のステップが存在するように構成することを意味する。
【００１５】
そこで、従来構造の垂直梯子から、上段ベッド部の床部材と同一高さのステップを取り外し、本考案と同様に、床部材より下方のものを最上段のステップとすることも考えられる。しかしながら、従来の垂直梯子は、本考案のように階段状のステップを有するものではなく、同一サイズのステップが垂直に並列配置されて、足を真上に運びながら上って行く一般的な梯子である。
そのため、仮に従来の垂直梯子から上段ベッド部の床部材と同一高さのステップを外した場合、これを上る者は、垂直な梯子を上るために真っすぐに背を伸ばした姿勢から、最後の足を、両手で握った手摺を踏み越えて、それより前方の床部材の上面まで持ち上げるという、無理な（不安定な）姿勢での動作を行う必要があり、殊に子供にとっては、危険を伴う梯子の使用になるおそれがある。
【００１６】
「千鳥打ち法」とは、一般的に、固定部材である釘やねじ（ビス）などを上下互い違いにずらして打つことで、母材を破壊しにくくする固定の仕方である。
ここでは、床部材を載せる受け桟が、対応する側枠材に固定される際、固定部材を上、下へ互い違いに固定するこという。固定部材としては、例えば、釘やねじなどを採用することができる。なお、互い違いにする固定部材の本数は、１本ごとでも、複数本ごとでもよい。
千鳥打ちされる受け桟は、上段ベッド部のうち、垂直梯子が固定される側に配された側枠材（左側枠材または右側枠材）のみでも、その両方でもよい。また、ヘッド側枠材、フット側枠材の各内面にも受け桟を配している場合、これらの受け桟に対して固定部材の千鳥打ちを施してもよい。なお、床部材の取り付け強度の面から言えば、左右の側枠材に対して各受け桟を千鳥打ちした方が好ましい。
また、受け桟は強度を高めるため、厚肉とした方が好ましい。
床部材の種類としては、例えば、簀の子、板材などが挙げられるものの、通気性の観点から簀の子の方が好ましい。
【００１７】
請求項５に記載の２段ベッドは、前記下段ベッド部の支持枠は、下縁全体が床面に接していることを特徴とする請求項１〜請求項４のうち、何れか１項に記載の２段ベッドである。
下段ベッド部は、２段ベッドが設置される床面に対して、支持枠の下縁の全体が略隙間なく接触するように構成されている。
なお、ここでいう「床面に接する」には、支持枠と床面とのあいだに、５ｍｍ以下の隙間あることを許容する。
【考案の効果】
【００１８】
本考案の２段ベッドによれば、垂直梯子はベッド本体に垂直に固定されているため、斜めに立てかける傾斜梯子のように設置が不安定で外れたり、ずれたりするおそれがない。その結果、例えば子供が梯子から落ちるなどの心配が軽減される。
特に、垂直梯子に階段状のステップを配し、かつ各手摺の握り部分を上方へ向かうほど徐々にベッド内方へ傾斜するように構成したため、垂直梯子の上り時、この握り部分を握りながら階段状のステップを上ることで重心が前方へ傾き、上り易くなる前傾姿勢が取り易い。
さらに、各手摺に横架された全てのステップは、隣接するステップのうち、上段側のステップの前縁より下段側のステップの前縁の方が、垂直梯子の前方に突出している。そのため、この垂直梯子は、階段状に配された複数のステップを有するものとなり、各ステップの前縁が揃っている従来の垂直梯子に比べて、上り下りがし易くなる。その結果、例えば、子供でも容易かつ安全に垂直梯子を上り下りすることができ、よって子供が足を滑らせて落下し、怪我をするおそれも少ない。
【００１９】
特に、請求項２に記載の考案によれば、各手摺の垂直線を基準とした前縁の傾斜角度を、２°〜１０°としたため、全てのステップに上り下りが容易な段差が得られるとともに、垂直梯子の設置スペースも小さくすることができる。
【００２０】
さらに、請求項３に記載の考案によれば、垂直梯子として、上下に隣接する全てのステップにおいて、上段側ステップより下段側ステップの方が前方へ３ｃｍ〜８ｃｍだけ突出し、各手摺の下端の前後方向の長さが１５ｃｍ〜２０ｃｍで、各手摺の上端の前後方向の長さが７ｃｍ〜１０ｃｍで、各手摺の前縁の傾斜角度が、垂直線を基準として３°〜５°のものを採用している。
このように構成したことで、垂直梯子の上り下りがし易いにも拘わらず、手摺の下端の前後方向の長さが短くて垂直梯子の設置スペースを小さくすることができる。その結果、２段ベッドの近くを歩く際に、垂直梯子が邪魔になり難くいとともに、手摺の上端部の握り易さや強度も確保することができる。
【００２１】
また、請求項４に記載の考案によれば、２段ベッドの左、右側面の一方に固定された垂直梯子は、最上段のステップが、上段ベッド部側の床部材が最上段に配される仮想ステップとなるように各ステップの高さ調整が行われている。そのため、例えば利用者が垂直梯子を使って上段ベッド部に達するときの最後の一歩は、利用者の略全体重をかけて、床部材の垂直梯子側の端部（仮想ステップ）を踏み込むこととなる。そのため、この床部材の垂直梯子側の端部を支持する木製の受け桟には、利用者が上段ベッド部に上るたびに、局所的に大きな荷重（曲げ荷重）が繰り返し作用し、その影響により受け桟に破損が生じるおそれがある。
しかしながら、この受け桟は、千鳥打ち法の採用によって、各固定部材を少しずつ上下にずらした状態で、垂直梯子側の側枠材に固定されている。そのため、一般的な固定部材による受け桟の固定法である、受け桟の長さ方向に一列で各固定部材を配した場合に比べて、その支持強度は大きく、このような繰り返し荷重が、受け桟の垂直梯子との対峙部分に長期間にわたって作用しても、この受け桟に破損等が発生するおそれは少ない。
【００２２】
特に、このように受け桟は木製であるため、受け桟に複数の固定部材が水平方向へ一列に並ぶ従来品の場合には、受け桟の木目に沿って水平（直線状）方向に亀裂が生じ易い。
すなわち、従来の場合、複数の固定部材が一列に並んでいるため、受け桟に繰り返し荷重が作用したとき、例えば１つの固定部材の固定箇所で発生した亀裂が、隣接する別の固定部材に伝搬し易くなる。さらには、その後も垂直梯子を使うたびに生じる繰り返し荷重によって、この亀裂が遠方の固定箇所へと広がって行くことが懸念される。
これに対して、請求項４の発明では、このように複数の固定部材の千鳥打ちによって、垂直梯子側の側枠材に受け桟を固定するように構成したため、仮に１本の固定部材の固定箇所で亀裂が発生しても、その亀裂が隣接する固定箇所へと順次伝搬して行く可能性は低減する。その結果、この亀裂を原因とした床部材の落下のおそれもほとんど解消される。
【００２３】
また、請求項５に記載の考案によれば、下段ベッド部の支持枠の下縁の全体が略隙間なく床面に接触するため、下段ベッド部の下に埃やゴミがたまりにくく、２段ベッドの掃除が容易になる。
【図面の簡単な説明】
【００２４】
【図１】本考案の実施例１に係る２段ベッドの全体斜視図である。
【図２】本考案の実施例１に係る２段ベッドの垂直梯子の固定部分を示す要部拡大断面図である。
【図３】（ａ）は、本考案の実施例１に係る２段ベッドの支持枠の内面に受け桟を千鳥打ち法により固定した状態を示す要部拡大斜視図である。（ｂ）は、従来法のくぎ打ち法により支持枠の内面に受け桟を固定した状態を示す要部拡大斜視図である。
【図４】従来技術に係る２段ベッドの垂直梯子の固定部分を示す要部拡大断面図である。
【考案を実施するための形態】
【００２５】
以下、この考案の実施例を具体的に説明する。ここでは、子供用の木製の２段ベッドを例とする。なお、説明の都合上、２段ベッドのヘッド方向をＸ１方向、そのフット方向をＸ２方向、その左方向をＹ１方向、その右方向をＹ２方向、上方向をＺ１方向、下方向をＺ２方向とする。
【実施例】
【００２６】
図１において、１０は本考案の実施例１に係る２段ベッドで、この２段ベッド１０は、それぞれＸ１−Ｘ２方向に長い矩形状の上段ベッド部１１と下段ベッド部１２との間に、Ｚ１−Ｚ２方向に延びる垂直梯子１３が固定されたものである。これらはパイン製である。
以下、これらを具体的に説明する。
なお、下段ベッド部１２は上段ベッド部１１と基本的な構造が同じである。そのため、主に上段ベッド部１１について説明し、その後、下段ベッド部１２について補足する。また、垂直梯子１３は、上、下段ベッド部１１，１２のＹ２側の面（右側面）のうち、Ｘ１−Ｘ２方向の中間部間に垂直状態で固定されている。
【００２７】
図１〜図３に示すように、上段ベッド部１１は、図示しないマットレスが載置されるＸ１−Ｘ２方向に長い矩形状の床部材１４と、これを支持する支持枠１５と、４本の支脚１６とを有している。
床部材１４は、そのＹ１側の半分を構成するヘッド側の簀の子１７Ａと、そのＹ２側の半分を構成するフット側の簀の子１７Ｂとからなる。各簀の子１７Ａ，１７Ｂは、それぞれＹ１−Ｙ２方向に延びて、Ｘ１−Ｘ２方向に所定ピッチで離間した角材からなる６本の敷板１８と、各敷板１８の上面に格子状に固定されるＸ１−Ｘ２方向に延びて、Ｙ１−Ｙ２方向に離間配置された８枚の横板１９とを有している。これらの横板１９によって、簀の子１７Ａ，１７Ｂのマットレスが載置される上面が構成される。
【００２８】
支持枠１５は、左側枠材２０Ａと、右側枠材２０Ｂと、ヘッド側枠材２１と、フット側枠材２２とを、平面視して矩形枠状に連結したものである。
左、右側枠材２０Ａ，２０Ｂの内面（ベッド内側の面、Ｙ１側の面）の各下端部付近には、各全長にわたって、床部材１４のＹ１−Ｙ２側の端部、具体的には、両簀の子１７Ａ，１７Ｂのうち、各敷板１８のＹ１−Ｙ２側の端部をそれぞれ支持する左右一対の受け桟２３が、複数のねじ（固定部材）２４を使用して固定されている。
各受け桟２３は、Ｘ１−Ｘ２方向に長いパインの角材で、各々の厚み（幅）は、受け桟２３の強度を高めるため、図３（ｂ）および図４に示す従来品（例えば２．５ｃｍ）の受け桟２３Ａに比べて、約２倍（例えば４．５ｃｍ）の厚さとなっている。
また、各受け桟２３は、複数のねじ（固定部材）２４を、受け桟２３の長さ方向へ上下互い違いに打ち込む千鳥打ち法により、対応する側枠材２０Ａ，２０Ｂに固定されている（図３（ａ）を参照）。
【００２９】
また、図１および図２に示すように、支持枠１５の四隅には、各上部を、支持枠１５の上面より上方に配置した状態で、４本の支脚１６がそれぞれ固定されている。
隣接する支脚１６のうち、ヘッド側の２本の支脚１６の上部間には、ヘッドフェンス（頭側の柵）２５が横架されている。また、フット側の２本の支脚１６の上部間には、フットフェンス（足側の柵）２６が横架されている。さらに、レフト側の２本の支脚１６の上部間には、レフトフェンス（左側の柵）２７が横架され、またライト側の各支脚１６の上部間には、ライトフェンス（右側の柵）２８が横架されている。レフトフェンス２７およびライトフェンス２８は、対応する側枠材２０Ａ、２０Ｂに連結されている。
【００３０】
このうち、ヘッドフェンス２５およびフットフェンス２６は、Ｙ１−Ｙ２方向に延びて、互いにＺ１−Ｚ２方向に離間した２本の横柵２９を有している。ヘッドフェンス２５の上段側の横柵２９は、下縁からベッド内方へＬ字状に屈曲した棚部３０となっている。この棚部３０は、スマートフォン、タブレットなどの携帯端末や、本などの仮置き場として利用することができる。一方、フットフェンス２６の上段側の横柵２９のＸ２側の面には、Ｙ１−Ｙ２方向に所定ピッチで、合計３本の小物掛け３１が突設されている。なお、下段ベッド部１２のものを含めれば合計６本となる。もちろん、上、下段ベッド部１１，１２の各ヘッドフェンス２５にもそれぞれ洋服などの小物掛け３１を配設してもよい。
【００３１】
レフトフェンス（左側の柵）２７は、Ｘ１−Ｘ２方向に長いレフト側矩形枠３２を有している。レフト側矩形枠３２は、その幅（高さ）方向の中間部に、互いに平行に離間配置された２本の中間縦枠３３が配されている。また、レフト側矩形枠３２は、中間縦枠３３により仕切られたＸ１側の内側空間とＸ２側の内側空間とを各上下に区画するＸ１−Ｘ２方向に長い上下仕切り柵３４を有している。
ライトフェンス（右側の柵）２８は、そのＸ１−Ｘ２方向の中間部に、垂直梯子１３の上段ベッド部１１側の出入口３５が配されている。そのため、このライトフェンス２８は、Ｘ１側のヘッド側部分矩形枠３６と、これと同形状のＸ２側のフット側部分矩形枠３７とに２分割されている。
各部分矩形枠３６，３７は、Ｘ１−Ｘ２方向に長い矩形枠であり、これらの内側空間は、各幅（Ｚ１−Ｚ２）方向の中間部に配された横長な２本の中間横柵３８により、それぞれ上下に区画されている。
【００３２】
Ｘ１側のヘッド側部分矩形枠３６のＸ１側の縦枠材５０は、Ｘ１−Ｙ２側の支脚１６に面接触するとともに、Ｘ２側のヘッド側部分矩形枠３７のＸ２側の縦枠材５１は、Ｘ２−Ｙ２側の支脚１６に面接触している。これにより、各縦枠材と各支脚とのあいだに隙間が形成される従来品に比べて、ライトフェンス２８の剛性が高まり、上段ベッド部１１の使用時にライトフェンス２８の揺れを防止することができる。また、同様の理由により、レフトフェンス２７についても、Ｘ１側の縦枠材５２がＸ１−Ｙ１側の支脚１６と面接触するとともに、Ｘ２側の縦枠材５３がＸ２−Ｙ１側の支脚１６と面接触している。
各フェンス２５〜２８の高さは、一般的な２５ｃｍより高い３６ｃｍとしている。これは、上段ベッド部１１の上で子供が寝返りをした際に落下しにくくするためである。
【００３３】
次に、図１および図２に示すように、下段ベッド部１２について説明する。上述したように、ここでは上段ベッド部１１と異なる点のみを説明する。
下段ベッド部１２には、上段ベッド部１１に配されたレフトフェンス２７とライトフェンス２８とが省略されている。そのため、子供は下段ベッド部１２のＹ１−Ｙ２側の解放面からここへ自由に出入りすることができる。
また、下段ベッド部１２のヘッドフェンス２５およびフットフェンス２６は、３本の横柵２９を有している。
下段ベッド部１２の支持枠１５は、下縁全体が床面に接している。
その他の構成は、上段ベッド部１１と略同じである。
【００３４】
次に、図１〜図３を参照しながら、垂直梯子１３について詳細に説明する。
図１および図２に示すように、垂直梯子１３は、左右一対の手摺３９に２つのステップＳ１、Ｓ２を配したものである。
以下、これらの構成部品を具体的に説明する。
各手摺３９は、Ｙ１側の縁面（後縁面）が垂直面となった厚肉で、上方へ向かうほど握り部分（前淵部分）が徐々にベッド内方へ傾斜した台形状のパイン板からなる。これらの手摺３９の下端部のＹ１側の縁部は、下段ベッド部１２の右側枠材２０Ｂのうち、その長さ方向の中間部の外面に固定されている。一方、各手摺３９の上部のＹ１側の縁部は、上段ベッド部１１の右側枠材２０Ｂのうち、その長さ方向の中間部の外面に固定されるとともに、上段ベッド部１１のヘッド側部分矩形枠３６のうち、そのＸ２側の端部の外面と、上段ベッド部１１のフット側部分矩形枠３７のうち、そのＸ１側の端部の外面とにそれぞれ固定される。
【００３５】
各台形状の手摺３９は、高さ（Ｚ１−Ｚ２方向の長さ）が１３０ｃｍ、上辺（上端）の長さｄが９ｃｍ、底辺（下端）の長さｅが１８ｃｍ、手摺間の長さが３６ｃｍ、厚さが２．４ｃｍである（図２を参照）。また、垂直線ａを基準とした各手摺３９の握り部分３９ａの前縁（Ｙ２側の縁）の傾斜角度θは、４°である。
これらの手摺３９の上端部には、それぞれ縦長な長孔４２を有するグリップ部４３が配設されている。
また、垂直梯子１３のステップは、前記ステップＳ１、Ｓ２の他に、上段ベッド部１１の床部材１４のＹ２側の端部（出入口３５）に配された最上段の仮想ステップＳ３を含む３段式のものである。具体的には、２段ベッド１０が設置される床面から、上段ベッド部１１の床部材１４までの高さを略３等分割（ｃ１〜ｃ３）し、垂直梯子１３のうち、これらの分割した高さ位置に、それぞれ１つずつステップＳ１〜Ｓ３が配されている。
【００３６】
１段目のステップＳ１は、長さ（Ｘ１−Ｘ２方向の長さ）が３６ｃｍ、奥行きの長さ（Ｙ１−Ｙ２の長さ）が１１．５ｃｍ、厚さが２．４ｃｍである。
２段目のステップＳ２は、長さ（Ｘ１−Ｘ２方向の長さ）が３６ｃｍ、奥行きの長さ（Ｙ１−Ｙ２の長さ）が９ｃｍ、厚さが２．４ｃｍである。
【００３７】
さらに、上下に隣接するステップのうち、２段目のステップＳ２の前縁より１段目のステップＳ１の前縁の方が、前方（Ｙ２方向）へ長さｂだけ突出している（図２を参照）。ここでの長さｂは、４．５ｃｍである。
なお、１段目のステップＳ１の前縁は、各手摺３９の握り部分３９ａの前縁近くに配されており、２段目のステップＳ２は、その後縁が各手摺３９の後縁近くに配されている。これにより、手摺３９の下端の前後方向の長さｅが１８ｃｍと短いにも拘わらず、上段側のステップＳ２の前縁より下段側のステップＳ１の前縁の方が前方へ突出する幅（長さｂ）を４．５ｃｍとすることができる。これにより、垂直梯子１３の上り下りがし易い段差を確保することができる。
【００３８】
次に、図１〜図４を参照して、本考案の実施例１に係る２段ベッド１０の使用方法を説明する。ここでは、２人の子供が、上段ベッド部１１と下段ベッド部１２とを１つずつ使用するものとする。
図１〜図３に示すように、まず上、下側の床部材１４の上面に、それぞれ図示しないマットレスを敷く。
その後、例えば、一人目の子供が下段ベッド部１２を使用する際には、この子供が下段ベッド部１２に入る。すなわち、下段ベッド部１２には、レフトフェンス２７およびライトフェンス２８がないため、一人目の子供は、下段ベッド部１２のＹ１側およびＹ２側の解放面から、下段ベッド部１２へ自由に出入りすることができる。
【００３９】
また、二人目の子供が上段ベッド部１１を使用する際には、まず、その子供が垂直梯子１３を用いて上段ベッド部１１まで上る。
このとき、垂直梯子１３は、２段ベッド１０の右側面に垂直に固定されているため、従来の斜めに立てかける傾斜梯子の場合のように、設置が不安定で外れたり、ずれたりするおそれがない。その結果、二人目の子供が垂直梯子１３から落ちるなどの心配が軽減される。
また、垂直梯子１３は、左右一対の手摺３９を、上方へ向かうほど握り部分３９ａが徐々にベッド内方へ傾斜するようにそれぞれ構成している。そのため、全長にわたり同一幅の従来の垂直梯子１３Ａの場合とは異なり、垂直梯子１３の上り時、この握り部分を握りながら階段状のステップＳ１〜Ｓ３を上ることにより、重心が前方へ傾き（前傾姿勢となり）、上り易くなる（図４を参照）。
【００４０】
さらに、ここでは、図２に示すように、垂直線ａを基準とした各手摺３９の握り部分３９ａの前縁の傾斜角度θを４°としている。そのため、全てのステップＳ１〜Ｓ３に上り下りがし易い段差を付けることができ、かつ垂直梯子１３の設置スペースも小さくなる。
さらにまた、全てのステップＳ１〜Ｓ３は、例えば、隣接する上段側のステップより下段側のステップの方が、垂直梯子１３の前方に突出している。すなわち、２段目のステップＳ２の前縁より１段目のステップＳ１の前縁の方が４．５ｃｍだけ突出している。そのため、この垂直梯子１３は、階段状に配された３つのステップＳ１〜Ｓ３を有するものとなる。
よって、図４に示すように、手摺３９Ａが上段から下段まで均一な太さで、各ステップＳＡの前縁が揃っている従来の垂直梯子１３Ａに比べて、実施例１の垂直梯子１３は上り下りがし易くなる。その結果、子供でも容易かつ安全に垂直梯子１３を上り下りすることができ、これにより子供が足を滑らせて落下し、怪我をするおそれも少ない。
【００４１】
また、ここでは、２段ベッド１０の右側面に固定された垂直梯子１３は、最上段の仮想ステップＳ３が、上段ベッド部１１側の床部材１４となるように、各ステップＳ１〜Ｓ３を高さ調整している。すなわち、各ステップＳ１〜Ｓ３は、垂直梯子１３のうち、床面から上段ベッド部１１の床部材１４までの高さを略３等分割した各高さ位置に、１つずつ配されている（図２のｃ１〜ｃ３を参照）。
そのため、二人目の子供が垂直梯子１３を上って上段ベッド部１１に達するとき、その最後の一歩は、子供の略全体重をかけた状態で、床部材１４の垂直梯子１３側の端部（Ｙ２側の端部）を踏むこととなる。これにより、この床部材１４の垂直梯子１３側の端部を支持する横長なパイン製の受け桟２３には、子供が上段ベッド部１１に上るたびに、この最上段の仮想ステップＳ３となる部分（出入口３５の部分）に大きな繰り返し荷重（曲げ荷重）が作用し、これを原因として受け桟２３に破損が生じるおそれがある。
【００４２】
しかしながら、この実施例１では、受け桟２３を、千鳥打ち法により複数のねじ２４を少しずつ上下互い違いにした状態で、垂直梯子１３側となる右側枠材２０Ｂに固定している。そのため、従来のねじ２４による受け桟２３Ａの固定法である、受け桟２３Ａの長さ方向に一列で各ねじ２４を配した場合（図３（ｂ）を参照）に比べて、その支持強度は大きく、このような繰り返し荷重が、受け桟２３の垂直梯子１３との対峙部分に長期間にわたって作用しても、この受け桟２３に破損等が発生するおそれは少ない（図３（ａ）を参照）。
【００４３】
特に、このように受け桟２３が木製であるため、受け桟２３Ａに複数のねじ２４が水平方向へ一列に並ぶ従来品の場合には、受け桟２３Ａの木目に沿って水平（直線状）方向に亀裂Ｃが生じ易い（図３（ｂ）を参照）。
すなわち、従来の場合、複数のねじ２４が一列に並んだことを原因として、この受け桟２３Ａに前記繰り返し荷重が作用し、１本のねじ２４の固定箇所で発生した亀裂Ｃが、隣接する別のねじ２４に伝搬し、その後も、垂直梯子１３Ａを使うたびに生じる繰り返し荷重により、この亀裂Ｃが遠方の固定箇所へと広がって行くことが懸念される。
【００４４】
これに対して、図３（ａ）に示す実施例１では、このように複数のねじ２４の千鳥打ちによって、右側枠材２０の内面に受け桟２３を固定するようにしたため、仮に１本のねじ２４の固定箇所（打ち込み箇所）で亀裂Ｃ１が発生したとしても、その亀裂Ｃ１が隣接する別の固定箇所へと順次伝搬して行く可能性はほとんどない。その結果、この亀裂Ｃ１を原因とした床部材１４の落下事故のおそれも略皆無となる。なお、このねじ２４の千鳥打ちは、左側枠材２０Ａの受け桟２３に対して施した方が好ましい。
また、ここでは、下段ベッド部１２の支持枠１５の下縁の全体を、略隙間なく床面に接触させたため、下段ベッド部１２の下に埃やゴミがたまりにくく、２段ベッド１０の掃除が容易となる。
【産業上の利用可能性】
【００４５】
この考案は、垂直梯子を有した２段ベッドの技術として有用である。
【符号の説明】
【００４６】
１０  ２段ベッド
１１  上段ベッド部
１２  下段ベッド部
１３  垂直梯子
１４  床部材
１５  支持枠
２０Ａ  左側枠材
２０Ｂ  右側枠材
２１  ヘッド側枠材
２２  フット側枠材
２３  受け桟
２４  ねじ（固定部材）
３９  手摺
３９ａ  握り部分
Ｓ１、Ｓ２  ステップ
Ｓ３  仮想ステップ
ａ  垂直線
θ  傾斜角度
【図１】
0003222226.tif 000003
【図２】
0003222226.tif 000004
【図３】
0003222226.tif 000005
【図４】
0003222226.tif 000006